(57)【要約】 【課題】錠箱の強度及び剛性を図りつつ、製作の容易化（コストダウン）を達成すること。【解決手段】一方側の前面板部分は、施錠片用の開口部分を有する単数であると共に、水平方向の上片並びに下片の各前端に対してそれぞれ外方向に突出する上下の垂直連結部分を連続的に有し、また、前面板部分は垂直連結部分に対して上片並びに下片側に多少後退する位置に凹み状に存在し、一方、他方側の前面板部分は、施錠片用の開口部分と連通する開口部分を有する単数であり、かつ、フロント板と後側に位置する前面板部分にサンドイッチ状態に挟持される建具用錠箱。  【選択図】  図１
2008002058.tif 000002
【特許請求の範囲】
【請求項１】
身側の前面板部分と蓋側の前面板部分とフロント板とが前後方向に一体的に重なり合う構成の錠箱に於いて、一方側の前面板部分は、施錠片用開口部分を有する単数であると共に、水平方向の上片並びに下片の各前端に対してそれぞれ外方向に突出する上下の垂直連結部分を連続的に有し、また、前面板部分は垂直連結部分に対して上片並びに下片側に多少後退する位置に凹み状に存在し、一方、他方側の前面板部分は、施錠片用開口部分と連通する開口部分を有する単数であり、かつ、フロント板と後側に位置する前面板部分にサンドイッチ状態に挟持されることを特徴とする建具用錠箱。
【請求項２】
請求項１に於いて、一方の前面板の上下端部と、上片並びに下片の各前端との間には、それぞれスリットが形成されていることを特徴とする建具用錠箱。
【請求項３】
請求項１に於いて、他方の前面板の上下端部と、上片並びに下片の各前端との間にはそれぞれ上片・下片切欠部分が形成されていることを特徴とする建具用錠箱。
【発明の詳細な説明】
【技術分野】
【０００１】
本発明は、建具用錠箱に関する。
【背景技術】
【０００２】
特許文献１には、「錠箱の身と蓋とを、錠箱の側板となる部分を底面とし、夫々一面が開いた浅い箱状に成形し、これら身と蓋とを夫々の開口を対向させ、フロント板に対向する複数の前面板を除くコ字形の開口端縁を相互に接合させて錠箱を構成するものであって、前面板には、フロント板を貫通して出没する部材が通る切欠を形成すると共に、前面板の底面からの高さ及び形成位置を、コ字形の開口端縁が相互に接合した状態において重合して接合できるように設定し、一方、相互に重合する前面板の少なくとも１ヵ所においてこれらを結合した後、前面板とフロント板とを相互に接合させてこれらを複数箇所で結合した錠箱の構造」が開示されている。
【０００３】
付言すると、特許文献１に記載の錠箱は、フロント板に対して裏板と称される複数の前面板を二重構造にして、錠箱の強度及び剛性を図るものである。
【０００４】
この錠箱は、身側の複数の前面板と蓋側の複数のそれとを前後に重ね合わせるように接合した状態で互いに複数個の固着手段で固定し、かつ、固定した前面板に対して、さらに複数個の固着手段を介してフロント板を直接又は間接的に固定するものであるから、錠箱のフロント側の強度を図ることができるという利点がある。
【０００５】
しかしながら、特許文献１は、例えば身側の上下一組の前面板と、水平方向の上片並びに下片の各前端から垂直方向にそれぞれ突出する上下の連結板をそれぞれ独立的に構成する点、多数の前面板及び連結板をそれぞれ別個に折り曲げ成形する点、身側の前面板と蓋側のそれとをそれぞれ複数個の固着手段で固定する点等の理由から、製作乃至組み合わせが容易でないという問題点があった。
【特許文献１】特開２００５−１３９６８４号公報
【発明の開示】
【発明が解決しようとする課題】
【０００６】
本発明の初期の目的は、従来の実施例の問題点に鑑み、錠箱の強度及び剛性を図りつつ、製作（コストダウン）並びに組み合わせの容易化を達成することである。
【課題を解決するための手段】
【０００７】
本発明の建具用錠箱は、身側の前面板部分と蓋側の前面板部分とフロント板とが前後方向に一体的に重なり合う構成の錠箱に於いて、一方側の前面板部分は、施錠片用の開口部分を有する単数であると共に、水平方向の上片並びに下片の各前端に対してそれぞれ外方向に突出する上下の垂直連結部分を連続的に有し、また、前面板部分は垂直連結部分に対して上片並びに下片側に多少後退する位置に凹み状に存在し、一方、他方側の前面板部分は、施錠片用の開口部分と連通する開口部分を有する単数であり、かつ、フロント板と後側に位置する前面板部分にサンドイッチ状態に挟持されることを特徴とする。
【０００８】
ここで「一方側」並びに「他方側」の各用語は、たとえば身側の前面板部分を一方側とした場合に、蓋側の前面板部分が他方側になる意味合いである。したがって、蓋側の前面板部分を一方側とした場合には、身側の前面板部分は他方側になる。また、「多少後退する位置に凹み状に存在し」とは、例えば蓋側の前面板部分がフロント板と後側に位置する身側の前面板部分にサンドイッチ状態に挟持されたとき、フロント板の裏面が前記身側の前面板部分に連設する上下の垂直連結部分の前面に面接触する意味である。
【発明の効果】
【０００９】
（ａ）本発明は、身側の前面板部分と蓋側の前面板部分がそれぞれ単数であること、身側の前面板部分と蓋側の前面板部分とを互いに固着手段で固定しない反面、他方側（例えば蓋側）の前面板部分をフロント板の背面と一方側（例えば身側）の前面板部分とでサンドイッチ状態に挟持することから、プレス成形の際に折り曲げ工数を減らすことができると共に、例えば使用の際にフロント板と前後の前面板部分を簡単に合体させることができる。したがって、錠箱の強度及び剛性を図りつつ、製作乃至組み合わせの容易化を達成することができる。
【００１０】
付言すると、従来の実施例では、例えば身の水平方向の上片並びに下片の各前端に対してそれぞれ外方向に突出する耳状の上下垂直連結部分と、これら上下垂直連結部分の間に位置する上下の前面板部分は、それぞれ独立別個に分離した構成であることから、上下垂直連結部分を折り曲げる工程とは別個に上下の前面板部分を折り曲げる工程が必要となるのに対して、本発明では、一回の折り曲げ工程で済む。また、組み合わせが容易である。
すなわち、一方側（例えば身側）の前面板部分は、上下の垂直連結部分に対して上片並びに下片側に多少後退する位置に存在しているので、他方側の（例えば蓋側）の前面板部分は、フロント板の背面と一方側（例えば身側）の前面板部分の隙間にピッタリと入るので、身と蓋との接合時、位置合わせが極めて容易である。
【００１１】
（ｂ）従属項に記載の発明は、前面板を容易に折り曲げ成形することができる。
【発明を実施するための最良の形態】
【００１２】
以下、図１乃至図９に示す本発明を実施するための最良の形態により説明する。
【００１３】
（１）発明の実施の環境
図１、図２は発明の実施の環境を示す概略説明図である。図１、図２に於いて、Ｘは建具用錠箱で、この錠箱Ｘにはダルマと称される駆動腕部材ａ、該駆動腕部材ａと係合し、かつ、該駆動腕部材の駆動力により進退動する施錠片ｂ、前記駆動腕部材に圧接するクリック手段ｃ等が適宜に組み込まれている。なお、前記施錠片（デッドボルト）ｂには、鎌片ｄが可動軸ｅを介して連動するように設けられている。
【００１４】
（２）錠箱Ｘの身１
１は錠箱Ｘの身で、この身１は、図４乃至図６で示すように（取り付け孔、軸孔等は省略）、錠箱Ｘの一方の側面となる幅広側壁（底面）１ａと、上片１ｂ、後片１ｃ、下片１ｄ及び単数の前面板６とを有する。
【００１５】
前記前面板（一方側）６は、図５で示すように、施錠片用の開口部分７を有する単数であると共に、水平方向の上片１ｂ並びに下片１ｄの各前端に対してそれぞれ外方向に突出する上下の垂直連結部分５、５を連続的に有する。
【００１６】
そして、前記前面板部分６は前記上下の垂直連結部分５、５に対して上片１ｂ並びに下片１ｄ側に多少後退する位置に存在する。換言すれば、開口部分７を有する一つの前面板６は、段差状に連設する上下の垂直連結部分５、５に対して若干凹んでいる（凹んでいる部分が前面板部分６である）。
【００１７】
次に、符号８は、上片１ｂ並びに下片１ｄの各前端と一つの前面板６の上下端部の間にそれぞれ形成されたスリットである。上下の垂直連結部分５、５を連続的に有する一つの前面板６は、これらのスリット８、８を介して手前側（図４を基準）に９０度折曲げ形成されている。したがって、幅広の底面１ａの前面板６側をプレスで折り曲げると、前面板６乃至上下の垂直連結部分５、５が一度に出来上がる。
【００１８】
なお、例えば底面視の図６で示すように、下片１ｄ（上片１ｂも同様）の接合端縁は、後述する蓋のそれに対応するように段差状に形成されている。また、上下の垂直連結部分５、５には、図１、図２で示すように、フロント板１１の上下の固着具用取り付け孔と符合する貫通孔９、９が形成されている。細部的事項は割愛する。
【００１９】
（３）錠箱Ｘの蓋２
２は錠箱Ｘの蓋で、この蓋２は、図７乃至図９で示すように（取り付け孔、軸孔等は省略）、錠箱Ｘの他方の側面となる幅広側壁（カバー面）２ａと、上片２ｂ、後片２ｃ、下片２ｄ及び単数の前面板１６とを有する。
【００２０】
前記前面板（他方側）１６は、図８で示すように、施錠片用の開口部分１７を有する単数である。この点、一方側の前面板６と同様である。
【００２１】
しかして、本実施例の身側の前面板６は、前述したように上下の垂直連結部分５、５と一連につながっている、或いは上下の垂直連結部分５、５を有するのに対して、蓋側の前面板１６は、フロント板１１と身側の前面板部分（凹み部分）６の両方にサンドイッチ状態に挟持されるように設定されている。
【００２２】
したがって、前面板同士６、１６の接合時、図１、図３で示すように、他方側の（例えば蓋側）の前面板部分１６は、フロント板１１の背面と一方側（例えば身側）の前面板部分６の隙間にピッタリと入るので、身１と蓋２との位置合わせが極めて容易である。
【００２３】
付言すると、身側と蓋側を合わせると、蓋側の前面板部分１６は、身側の若干凹んでいる所（前面板部分６）にぴったりと収まる格好となる。
【００２４】
次に、平面視の図９を参照にすると、符号１８は、上片２ｂ（下片２ｄも同じ）の前部側と一つの前面板１６の上下端部の間にそれぞれ形成された上片・下片切欠部分である。本実施例では、身１の上片１ｂ（下片１ｄも同じ）と前面板部分６の間にはスリット８が形成されているが、蓋２の上片２ｂ（下片２ｄも同じ）と前面板部分１６の間には上片・下片切欠部分１８が設けられている。したがって、身１の前面板部分６の場合と同様に蓋２の前面板部分１６も容易に折り曲げ形成することができる。
【００２５】
なお、例えば平面視の図９で示すように、上片２ｂ（下片２ｄも同じ）の接合端縁は、前述した蓋のそれに対応するように段差状に形成されている。細部的事項は前述したように割愛する。
【００２６】
（４）組み合わせ
上記構成に於いて、錠箱Ｘは、扉の自由端部に錠前の構成部材として取り付けられる。最終的には、身１に錠前に必要な各部材を適宜に組み込み、次に、蓋２の前面板１６を身１の前面板（凹み状部分）６に合うように位置づける（図１参照）。そうすると、身１と蓋２の各片１ｂ、２ｂ等の端縁が接合して、身１と蓋２はケース状となる。そして、例えば底壁１ａとカバー壁２ａ、図示しない固着手段を介して身１と蓋２とを一体的に結合する。
【００２７】
また、フロント板１１を、蓋２の前面板部分１６を押さえ付けるようにして身１の上下の垂直連結部分５、５に合わせる。そして、少なくとも使用時、図示しない固着具を介して、フロント板１１と各前面板部分６、１６は接合状態に合体する。
【実施例】
【００２８】
発明の実施の形態で示した実施例に於いて、前面板部分６に連設する上下の垂直連結部分５、５の貫通孔９、９は、ネジ孔であっても良い。また、例えば図１０で示すように、身１の前面板６の開口部分７は切欠であっても良い。
【産業上の利用可能性】
【００２９】
本発明は、主に錠前や建具の業界で利用される。
【図面の簡単な説明】
【００３０】
図１乃至図９は本発明の最良の実施例を示す各説明図。
【図１】発明の実施の環境を示す概略説明図（例えば蓋の一部を切欠）。
【図２】図１を基準にした左側面からの概略説明図。
【図３】要部の拡大説明図。
【図４】身の正面図。
【図５】図４を基準にした左側面からの概略説明図。
【図６】図４を基準にした底面からの概略説明図。
【図７】蓋の正面図。
【図８】図７を基準にした左側面からの概略説明図。
【図９】図７を基準にした底面からの概略説明図。
【図１０】前面板の開口部分の変形例を示す説明図。
【符号の説明】
【００３１】
Ｘ…建具用錠箱、１…身、１ａ…幅広側壁（底面）、１ｂ…上片、１ｃ…後片、１ｄ…下片、６…前面板、５…上下の垂直連結部分、７…施錠片用開口部分、８…スリット、９…貫通孔、２…蓋、２ａ…幅広側壁（カバー面）、２ｂ…上片、２ｃ…後片、２ｄ…下片、１６…前面板、１７…蓋側の開口部分、１８…上片・下片切欠部分。
【図１】
2008002058.tif 000003
【図２】
2008002058.tif 000004
【図３】
2008002058.tif 000005
【図４】
2008002058.tif 000006
【図５】
2008002058.tif 000007
【図６】
2008002058.tif 000008
【図７】
2008002058.tif 000009
【図８】
2008002058.tif 000010
【図９】
2008002058.tif 000011
【図１０】
2008002058.tif 000012